(57)【要約】【課題】  易開封作用を阻害しないで見栄えのよい食品用包装袋を実現する。【解決手段】一対のシート１０、１を重ね合わせ、各シートの先端所定範囲をタブ４Ａ、４Ｂとして残した状態で両側辺を横断する線に沿って各シート同士を接着した頂部封止部と、頂部封止部より後方の各シートの両側辺同士を接着した側面封止部により３方を封止した袋体を構成するとともに、一方のシート１０に袋体を引き裂くための易開封手段を設けた食品用包装袋において、易開封手段を設けた側のシートをプラスチックフィルム１０Ａの表面に化繊紙１０Ｂを積層したものとし、シートの易開封手段の近傍の化繊紙に引き裂き方向の切れ目１０Ｃを入れる。【選択図】  図１
2017047940.tif 000002
【特許請求の範囲】
【請求項１】
一対のシートを重ね合わせ、各シートの先端所定範囲をタブとして残した状態で両側辺を横断する線に沿って各シート同士を接着した頂部封止部と、頂部封止部より後方の各シートの両側辺同士を接着した側面封止部により３方を封止した袋体を構成するとともに、一方のシートに袋体を引き裂くための易開封手段を設け、この袋体内に固形の食品を挿入することにより袋体を食品の外形に沿った板状の立体形状に拡げる食品用包装袋において、易開封手段を設けた側のシートをプラスチックフィルムの表面に化繊紙を積層したものとし、シートの易開封手段の近傍の化繊紙に引き裂き方向の切れ目を入れたことを特徴とする食品用包装袋。
【請求項２】
易開封手段は一端が頂部封止部を越えてタブ部分に設けた引き起し片に達するようにシートのプラスチックフィルム側裏面に接着されるカットテープである請求項１記載の食品用包装袋。
【請求項３】
切れ目は化繊紙を貫通するとともに、それに積層されるプラスチックフィルムの積層面に達して溝を形成する請求項１または２記載の食品用包装袋。
【請求項４】
切れ目は化繊紙を貫通するが、それに積層されるプラスチックフィルムの積層面には達しない請求項１または２記載の食品用包装袋。
【請求項５】
レーザ加工により切れ目を施す請求項１から４のいずれかに記載の食品用包装袋。
【請求項６】
超音波加工により切れ目を施す請求項１から４のいずれかに記載の食品用包装袋。
【請求項７】
接着手段としてヒートシールを採用した請求項１から６のいずれかに記載の食品用包装袋。
【請求項８】
食品は三角形のサンドイッチである請求項１から７のいずれかに記載の食品用包装袋。
【発明の詳細な説明】
【技術分野】
【０００１】
この発明は、例えば三角形のサンドイッチなどの固形の食品を収容するための食品用包装袋に関する。
【背景技術】
【０００２】
プラスチックフィルム製の一対のシートを重ね合わせ、三方を封止した袋体を構成し、上記袋体内にサンドイッチなどの固形の食品を挿入して包装するための食品用包装袋が公知である。
【０００３】
調理品からなる具材をパンに挟んだサンドイッチは、その場で調理したものを対面販売するものであったが、現在では工場などで集中調理したものを包装してコンビニエンスストアやスーパーマーケットなどに流通させる販売方式も普及している。
【０００４】
この場合、包装袋は対面販売する場合に比し陳列場所での見栄えが重視される。これに関し、従来は全体を透明プラスチックフィルム製のシートで構成したものが一般的であり、印刷により色彩や模様を施していたが見栄えには限界があった。
【０００５】
前記の問題に鑑み、紙と透明プラスチックフィルムの複合により構成したサンドイッチ用包装袋（特許文献２）や、一対のシートのうちの一方をスパンボンド不織布で構成した切り花のの包装袋（特許文献１）が提案されている。
【先行技術文献】
【特許文献】
【０００６】
【特許文献１】特開平１１−４９２６８号公報
【特許文献２】特開２００４−３３１１２９号公報
【発明の開示】
【発明が解決しようとする課題】
【０００７】
前記公知技術のように包装袋の一方のシートを紙や不織布で構成すると、その風合いから高級感が醸しだされ、陳列場所での見栄えが向上する。
【０００８】
しかしながら、一方のシートを紙や不織布で構成すると、製袋時の接着を溶断シールにより行う場合に、熱で焦げてしまってうまく溶断できないばかりか、異物が混入するおそれもあった。
【０００９】
前記の問題は、一方のシートをプラスチックフィルムの表面に化繊紙を積層したものとすることにより解決される。ここに化繊紙とは化学繊維を細かく切断し，分散剤や接着剤を加え、抄紙機ですいたものをいう。
【００１０】
ところで、コンビニエンスストアやスーパーマーケットなどで販売する包装入りサンドイットは、それを購入した需要者が包装を外して収容された食品を取り出さなければならないが、即座に開封できるように包装袋に易開封手段を設けることが一般的である。そして、この種の易開封手段としては包装袋のタブ部分の半島状の切り込みや、タブ部分終端からの一対の切り込みにより得られる引き起し片や、それとシート裏面に接着されるカットテープを併用して、開封にあたり引き起し片を指先で摘む手掛かりとしてシートを全長方向に引き裂くものがあった。
【００１１】
しかしながら、前記したように抄紙機ですいて得られる化繊紙は、抄紙機で化学繊維を一定方向に流しながら製造されるため、進行方向に繊維が揃いやすく抄紙目が存する。一方、サンドイッチ用包装袋を構成するシートは平面形状が台形又は台形類似の形状なので、無駄のない材料取りを実現するためにはシートの原反に対し直交するように位置されて切り出さなくてはならなかった。
【００１２】
そのため、化繊紙の抄紙目が易開封手段で予定する引き裂き方向と直行する形で入ってしまうので、抄紙目により予定方向の引き裂きが阻止され、袋が予期しない横方向に裂けてしまうという問題が予想された。                      
【課題を解決するための手段】
【００１３】
この発明は前記の問題を解消した食品用包装袋を提供することを目的として創作されたものである。
【００１４】
すなわち、この発明は、一対のシートを重ね合わせ、各シートの先端所定範囲をタブとして残した状態で両側辺を横断する線に沿って各シート同士を接着した頂部封止部と、頂部封止部より後方の各シートの両側辺同士を接着した側面封止部により３方を封止した袋体を構成するとともに、一方のシートに袋体を引き裂くための易開封手段を設け、この袋体内に固形の食品を挿入することにより袋体を食品の外形に沿った板状の立体形状に拡げる食品用包装袋において、易開封手段を設けた側のシートをプラスチックフィルムの表面に化繊紙を積層したものとし、シートの易開封手段の近傍の化繊紙に引き裂き方向の切れ目を入れたことを特徴とする。
【００１５】
また、請求項２記載の発明は前記の食品用包装袋において、易開封手段は一端が頂部封止部を越えてタブ部分に設けた引き起し片に達するようにシートのプラスチックフィルム側裏面に接着されるカットテープであることを特徴とする。
【００１６】
また、請求項３記載の発明は前記の食品用包装袋において、切れ目は化繊紙を貫通するとともに、それに積層されるプラスチックフィルムの積層面に達して溝を形成することを特徴とする。
【００１７】
また、請求項４記載の発明は前記の食品用包装袋において、切れ目は化繊紙を貫通するが、それに積層されるプラスチックフィルムの積層面には達しないことを特徴とする。
【００１８】
また、請求項５記載の発明は前記の食品用包装袋において、レーザ加工により切れ目を施すことを特徴とする。
【００１９】
また、請求項６記載の発明は前記の食品用包装袋において、超音波加工により切れ目を施すことを特徴とする。
【００２０】
また、請求項７記載の発明は前記の食品用包装袋において、接着手段としてヒートシールを採用したことを特徴とする。
【００２１】
また、請求項８記載の発明は前記の食品用包装袋において、食品は三角形のサンドイッチであることを特徴とする。
【発明の効果】
【００２２】
以上の構成よりなるこの発明によれば、シートを易開封手段で予定する全長方向に引き裂く際に化繊紙には易開封手段の近傍に既に切れ目が入っているので、その切れ目に沿ってシートが引き裂かれ、袋が予期しない横方向に裂けてしまうという問題が防止される。
【００２３】
また、前記の切れ目は化繊紙のみで、シートの基材となるプラスチックフィルムには達しないか、プラスチックフィルムの積層面に達して溝を形成するだけなので、シートに穴が空くことが無く内容物からの水分が袋表面に出てしまうことがない。
【図面の簡単な説明】
【００２４】
【図１】この発明の食品用包装袋の展開状態の分解斜視図。
【図２】この発明の食品用包装袋の包装状態の斜視図。
【図３】この発明の食品用包装袋の開封過程の斜視図。
【図４】この発明の食品用包装袋の一方のシートの一部切り欠き斜視図。
【図５】この発明の食品用包装袋の異なる実施例の一方のシートの一部切り欠き斜視図。
【発明を実施するための最良の形態】
【００２５】
以下、この発明の具体的実施例を添付図面に基づいて説明する。ここでは、包装する食品として三角形のサンドイッチを想定した食品用包装袋を例にとり説明することとする。すなわち、この包装袋は両側辺が先端に向かって幅狭となるプラスチックフィルム製の一対のシートを重ね合わせ、各シートの先端所定範囲をタブ部分として残した状態で、両側辺を横断する預部封止用接着線により各シート同士を接着した頂部封止部と、頂部封止部より後方の各シートの両側辺同士を接着した側面封止部により三方を封止して袋体とする。
【００２６】
前記の袋体においては、袋体内に三角形のサンドイッチを挿入することにより、対向する一対の斜面の厚みが頂部封止部の幅により規定される板状の三角形に袋体が立体的に拡げられる。この場合、サンドイッチの取り出しのための袋体の切り裂き手段として、カットテープをその一端が頂部封止用接着線を越えてタブ部分に設けた引き起し片に達するように何れかのシートの裏側に接着している。この袋体においては、タブ部分に設けた引き起し片をカツトテープごと指先で摘んで引っ張り上げることによりカットテープに沿って規定される方向、即ち袋体の斜面全長方向に沿ってシートが切り取られる作用を生じる。
【００２７】
図１〜図３は前記の食品用包装袋を示す図である。この袋体はプラスチックフィルム製の一対のシート１０、１と、シート１０の裏面（袋の内面側）に接着されるカットテープ６、それと挿入されたサンドイッチの裏側の端面に接すべきプラスチックフィルム製の帯状片５により構成される。一対のシート１０、１は両側辺が先端に向かって幅狭となる台形又は台形類似の形状に構成され、三方を封止して袋体とした後、この袋体が立体的に拡げられる。
【００２８】
この場合、袋体を構成するにあたりシートの先端所定範囲が袋部分を構成しないタブ部分４Ａ、４Ｂとして残されると共に、シートの後端が食品を差し入れるための開口として残される。具体的には、タブ部分４Ａ、４Ｂの開始地点においてシートの両側辺を横断する線に沿って各シート同士を接着する頂部封止用接着線２Ａ、２Ｂが設けられると共にこの頂部封止部より後方の各シートの両側辺同士を接着した側面封止部３Ａ、３Ｂが設けられることにより袋体の三方の封止部とされる。そして、折れ目Ａ１、Ａ１及びＢ１、Ｂ１をもって対向する一対の斜面Ａ及びＢの厚みが頂部封止部２Ａ、２Ｂの幅により規定され、側面Ｃ、Ｃが三角形をなす板状の三角形にこの袋体を拡げることによって袋体の基本形が完成する。なお、ここでは接着手段としてヒートシールを採用する。
【００２９】
上記の製袋工程において、カットテープ６が一方のシート１０の裏面に接着される。このカットテープ６はその一端が頂部封止用接着線２Ａ、２Ｂを越えてタブ部分４Ａ、４Ｂに設けた切り込みによる引き起し片Ｓに達するように配される。上記の引き起し片Ｓは、ここではシート１ＡをＵ宇状に切り込むことにより得ているが、形状はこれに限らず、例えばシート端にカットテープの始端より広い間隔をもった一対の切り込みを設けたものであってもよいことは勿論である。
【００３０】
この実施例においては、挿入されたサンドイッチの生野菜を含む具材が露出する端面に接すべき汚れ防止のためのプラスチックフィルム製の帯状片５はシート１の裏面に配される。
【００３１】
以上の工程により基本形が完成した袋体にはサンドイツチが後部の開口から差し入れられた後、サンドイッチ後端から袋体後端の開口部にかけた袋体の余剰部を折り畳んで粘着テープ等により封止して包装が完了する。
【００３２】
以上の食品用包装袋において、それを構成するシート１は例えば透明なプラスチックフィルムにより構成されるが、易開封手段が設けられる側のシート１０はプラスチックフィルム１０Ａの表面に化繊紙１０Ｂを積層した構成からなる（図４参照）。この実施例ではプラスチックフィルム１０Ａとして防曇ＯＰＰを使用している。一方、化繊紙１０ＢとしてはＰＥ系、ＰＥＴ系が望ましいが、後記するレーザによる切れ目１０Ｃの加工が可能な場合はＰＥ系を使用してもよい。
【００３３】
前記の易開封手段が設けられる側のシート１０には、シートの易開封手段の近傍に、プラスチックフィルム１０Ａを残して化繊紙１０Ｂのみに引き裂き方向の切れ目１０Ｃが設けられる。この実施例においては上記切れ目１０Ｃはカットテープ６を挟んで２条設けられ、それぞれの始端は前記の引き起し片Ｓの後端に連続し、終端はシート１０の終端に達する。
【００３４】
前記したように、切れ目１０Ｃはプラスチックフィルム１０Ａを残して化繊紙１０Ｂのみに設けられるが、そのための手段としては本願の出願時点での技術水準ではレーザ加工が最適であり、ここではレーザマーカを使用して加工している。また、切れ目１０Ｃは超音波加工により施してもよい。
【００３５】
図５はこの発明の異なる実施例を示すものであり、ここでは切れ目１０Ｃは化繊紙１０Ｂを貫通するとともに、それに積層されるプラスチックフィルム１０Ａの積層面に達して溝１０Ｄを形成する。
【００３６】
以上の食品用包装袋の開封に当たっては、カツトテープ１０が接着されている側のシート１０のタブ４Ａの引き起し片Ｓを摘んで引っ張り上げることにより、これに接着されているカットテープも引っ張り上げられることによりシートはそのままカツトテープに沿って切り裂かれながら中央部分が切り取られるが、この場合、化繊紙１０Ｂのカツトテープの近傍に既に切れ目１０Ｃが入っているので、その切れ目に沿ってシートは引き裂かれ、袋が予期しない横方向に裂けてしまうことがない（図３参照）。
【符号の説明】
【００３７】
Ｓ      引き起し片
１      シート
２Ａ    頂部封止用接着線
２Ｂ    頂部封止用接着線
４Ａ    タブ
４Ｂ    タブ
５      （汚れ防止のための）帯状片
６    カットテープ
１０    シート
１０Ａ  プラスチックフィルム
１０Ｂ  化繊紙
１０Ｃ  切れ目
１０Ｄ  溝
【図１】
2017047940.tif 000003
【図２】
2017047940.tif 000004
【図３】
2017047940.tif 000005
【図４】
2017047940.tif 000006
【図５】
2017047940.tif 000007